(57)【特許請求の範囲】
【請求項１】
画像形成装置であって、
操作部と、
表示部と、
記憶部と、
少なくとも、コピー機能およびセンド機能を含む、自装置が提供する複数の機能を実現するための複数のモジュールと、
自装置の起動時または省エネルギーモードからの復帰時に前記表示部に表示される、前記機能を操作するための初期画面を、前記操作部経由のユーザーの指示により設定し、設定に関する情報を初期画面情報として前記記憶部に記憶させる初期画面設定部と、
自装置の起動時または省エネルギーモードからの復帰時に、前記記憶部に記憶された前記初期画面情報を確認する初期画面確認部と、
前記初期画面確認部により確認された前記初期画面情報に基づいて、前記複数のモジュールのうち、前記初期画面に設定された機能に関するモジュールのみに順次初期化の指示を出し、前記機能に関係の無いモジュールに初期化の指示を出さず、
前記機能に関するモジュールのみの初期化が完了すると、前記画像形成装置が使用可能な状態になったことを示すレディ画面を表示し、
前記レディ画面を表示後、前記機能に関係の無いモジュールに初期化の指示を出す
初期化指示部と
前記初期画面に設定された機能に関するモジュールが順次初期化されているときに、前記初期画面に設定された機能とは異なる機能に関する、前記ユーザーによる操作を検知する操作検知部と、
前記操作検知部により前記操作が検知されたとき、前記異なる機能に関係しないモジュールの初期化を中断する指示を出す初期化中断指示部と
を備え、
前記初期画面に設定された前記コピー機能を実現するためのモジュールであるスキャナおよびプリントエンジンが順次初期化されているときに、前記操作検知部が前記センド機能に関する前記ユーザーによる操作を検知した場合、前記初期化中断指示部は、前記センド機能に関係の無いモジュールである前記プリントエンジンの初期化を中断する指示を出すことを特徴とする
画像形成装置。
【請求項２】
画像形成装置であって、
操作部と、
表示部と、
記憶部と、
少なくとも、コピー機能およびセンド機能を含む、自装置が提供する複数の機能を実現するための複数のモジュールと、
自装置の起動時または省エネルギーモードからの復帰時に前記表示部に表示される、前記機能を操作するための初期画面を、前記操作部経由のユーザーの指示により設定し、設定に関する情報を初期画面情報として前記記憶部に記憶させる初期画面設定部と、
自装置の起動時または省エネルギーモードからの復帰時に、前記記憶部に記憶された前記初期画面情報を確認する初期画面確認部と、
前記複数のモジュールの全てに初期化の指示を出し、
前記複数のモジュールの全てが同時並行して初期化されているとき、前記初期画面確認部により確認された前記初期画面情報に基づいて、前記複数のモジュールのうち、前記初期画面に設定された機能に関するモジュール以外のモジュールの初期化を中断し、
前記機能に関するモジュールのみの初期化が完了すると、前記画像形成装置が使用可能な状態になったことを示すレディ画面を表示し、
前記レディ画面を表示後、前記初期化を中断しているモジュールの初期化を再開する指示を出す
初期化指示部と
前記初期画面に設定された機能に関するモジュールのみが初期化されているときに、前記初期画面に設定された機能とは異なる機能に関する、前記ユーザーによる操作を検知する操作検知部と、
前記操作検知部により前記操作が検知されたとき、前記異なる機能に関係しないモジュールの初期化を中断する指示を出す初期化中断指示部と
を備え、
前記初期画面に設定された前記コピー機能を実現するためのモジュールであるスキャナおよびプリントエンジンのみが初期化されているときに、前記操作検知部が前記センド機能に関する前記ユーザーによる操作を検知した場合、前記初期化中断指示部は、前記センド機能に関係の無いモジュールである前記プリントエンジンの初期化を中断する指示を出すことを特徴とする
画像形成装置。
【請求項３】
初期画面設定部が、画像形成装置である自装置の起動時または省エネルギーモードからの復帰時に表示部に表示される、少なくとも、コピー機能およびセンド機能を含む、自装置が提供する機能を操作するための初期画面を、操作部経由のユーザーの指示により設定し、設定に関する情報を初期画面情報として記憶部に記憶させ、
初期画面確認部が、自装置の起動時または省エネルギーモードからの復帰時に、前記記憶部に記憶された前記初期画面情報を確認し、
初期化指示部が、前記初期画面確認部により確認された前記初期画面情報に基づいて、自装置が提供する複数の機能を実現するための複数のモジュールのうち、前記初期画面に設定された機能に関するモジュールのみに順次初期化の指示を出し、前記機能に関係の無いモジュールに初期化の指示を出さず、
前記機能に関するモジュールのみの初期化が完了すると、前記画像形成装置が使用可能な状態になったことを示すレディ画面を表示し、
前記レディ画面を表示後、前記機能に関係の無いモジュールに初期化の指示を出し、
操作検知部が、前記初期画面に設定された機能に関するモジュールが順次初期化されているときに、前記初期画面に設定された機能とは異なる機能に関する、前記ユーザーによる操作を検知し、
初期化中断指示部が、前記操作検知部により前記操作が検知されたとき、前記異なる機能に関係しないモジュールの初期化を中断する指示を出し、
さらに、前記初期画面に設定された前記コピー機能を実現するためのモジュールであるスキャナおよびプリントエンジンが順次初期化されているときに、前記操作検知部が前記センド機能に関する前記ユーザーによる操作を検知した場合、前記初期化中断指示部が、前記センド機能に関係の無いモジュールである前記プリントエンジンの初期化を中断する指示を出すことを特徴とする
初期化方法。
【請求項４】
初期画面設定部が、画像形成装置である自装置の起動時または省エネルギーモードからの復帰時に表示部に表示される、少なくとも、コピー機能およびセンド機能を含む、自装置が提供する機能を操作するための初期画面を、操作部経由のユーザーの指示により設定し、設定に関する情報を初期画面情報として記憶部に記憶させ、
初期画面確認部が、自装置の起動時または省エネルギーモードからの復帰時に、前記記憶部に記憶された前記初期画面情報を確認し、
初期化指示部が、自装置が提供する複数の機能を実現するための複数のモジュールの全てに初期化の指示を出し、
前記複数のモジュールの全てが同時並行して初期化されているとき、前記初期画面確認部により確認された前記初期画面情報に基づいて、前記複数のモジュールのうち、前記初期画面に設定された機能に関するモジュール以外のモジュールの初期化を中断し、
前記機能に関するモジュールのみの初期化が完了すると、前記画像形成装置が使用可能な状態になったことを示すレディ画面を表示し、
前記レディ画面を表示後、前記初期化を中断しているモジュールの初期化を再開する指示を出し、
操作検知部が、前記初期画面に設定された機能に関するモジュールのみが初期化されているときに、前記初期画面に設定された機能とは異なる機能に関する、前記ユーザーによる操作を検知し、
初期化中断指示部が、前記操作検知部により前記操作が検知されたとき、前記異なる機能に関係しないモジュールの初期化を中断する指示を出し、
さらに、前記初期画面に設定された前記コピー機能を実現するためのモジュールであるスキャナおよびプリントエンジンのみが初期化されているときに、前記操作検知部が前記センド機能に関する前記ユーザーによる操作を検知した場合、前記初期化中断指示部が、前記センド機能に関係の無いモジュールである前記プリントエンジンの初期化を中断する指示を出すことを特徴とする
初期化方法。
【発明の詳細な説明】
【技術分野】
【０００１】
本発明は、画像形成装置および当該画像形成装置の初期化方法に関する。
【背景技術】
【０００２】
画像形成装置（ＭＦＰ、Multifunction Peripheral）では、画像形成装置全体を複数のモジュールから構成されたシステムとして捉え、システムの効率化、省エネルギー化を図るために、各モジュールを制御することが行われている。
【０００３】
例えば、特許文献１において開示されている技術では、省エネルギー化を図るために、省エネルギーモードからの復帰時にスキャナ機能またはファクシミリ送信機能を使う予定である場合に、画像出力を行うプリンタエンジン部の消費電力を最小限にしている。
【０００４】
また、例えば、特許文献２の技術では、省エネルギーモードにおいて復帰要因が発生したとき、電源供給の遮断または削減を行っている各部のうち、省エネルギーモードを解除して電源供給を再開する部分を当該復帰要因に基づいて決定している。
【０００５】
また、特許文献３の技術では、省エネルギーモード時にユーザーの認証が完了すると、そのユーザーに対して使用が許可されたモジュールのみがノーマルモードに復帰する。
【０００６】
また、特許文献４の技術では、省エネルギー状態からの部分復帰モードを用意する。部分復帰モードでは、復帰すべきユニットが判明した時点で順次モジュールを復帰させる。
【先行技術文献】
【特許文献】
【０００７】
【特許文献１】特開２００４−０８０３３７号公報
【特許文献２】特開２００６−３３３０５９号公報
【特許文献３】特開２００９−１０４２０７号公報
【特許文献４】特開２０１５−０８０２６８号公報
【発明の概要】
【発明が解決しようとする課題】
【０００８】
上記のとおり、特許文献１から特許文献４の技術では、省エネルギーという観点からは様々な工夫がなされているが、復帰時間を優先して画像形成装置を復帰させることは考慮されていなかった。
【０００９】
以上のような事情に鑑み、本発明の目的は、電源投入時または省エネルギーモードからの復帰時に、ユーザー所望の機能をいち早く利用可能に出来る画像形成装置および初期化方法を提供することにある。
【課題を解決するための手段】
【００１０】
上記目的を達成するため、本発明の一形態に係る画像形成装置は、操作部と、表示部と、記憶部と、自装置が提供する複数の機能を実現するための複数のモジュールと、自装置の起動時または省エネルギーモードからの復帰時に前記表示部に表示される、前記機能を操作するための初期画面を、前記操作部経由のユーザーの指示により設定し、設定に関する情報を初期画面情報として前記記憶部に記憶させる初期画面設定部と、自装置の起動時または省エネルギーモードからの復帰時に、前記記憶部に記憶された前記初期画面情報を確認する初期画面確認部と、前記初期画面確認部により確認された前記初期画面情報に基づいて、前記複数のモジュールのうち、前記初期画面に設定された機能に関するモジュールに順次初期化の指示を出す初期化指示部とを備える。そのため、電源投入時または省エネルギーモードからの復帰時に、ユーザー所望の機能をいち早く利用可能に出来る。
【００１１】
上記目的を達成するため、本発明の一形態に係る画像形成装置は、前記初期画面に設定された機能に関するモジュールが順次初期化されているときに、前記初期画面に設定された機能とは異なる機能に関する、前記ユーザーによる操作を検知する操作検知部と、前記操作検知部により前記操作が検知されたとき、前記異なる機能に関係しないモジュールの初期化を中断する指示を出す初期化中断指示部とをさらに備えた構成でもよい。
【００１２】
上記目的を達成するため、本発明の一形態に係る画像形成装置は、操作部と、表示部と、記憶部と、自装置が提供する複数の機能を実現するための複数のモジュールと、自装置の起動時または省エネルギーモードからの復帰時に前記表示部に表示される、前記機能を操作するための初期画面を、前記操作部経由のユーザーの指示により設定し、設定に関する情報を初期画面情報として前記記憶部に記憶させる初期画面設定部と、自装置の起動時または省エネルギーモードからの復帰時に、前記記憶部に記憶された前記初期画面情報を確認する初期画面確認部と、前記複数のモジュールの全てに初期化の指示を出し、前記複数のモジュールの全てが同時並行して初期化されているとき、前記初期画面確認部により確認された前記初期画面情報に基づいて、前記複数のモジュールのうち、前記初期画面に設定された機能に関するモジュール以外のモジュールの初期化を中断する初期化指示部とを備えてもよい。
【００１３】
上記目的を達成するため、本発明の一形態に係る初期化方法では、初期画面設定部が、自装置の起動時または省エネルギーモードからの復帰時に表示部に表示される、自装置が提供する機能を操作するための初期画面を、操作部経由のユーザーの指示により設定し、設定に関する情報を初期画面情報として記憶部に記憶させ、初期画面確認部が、自装置の起動時または省エネルギーモードからの復帰時に、前記記憶部に記憶された前記初期画面情報を確認し、初期化指示部が、前記初期画面確認部により確認された前記初期画面情報に基づいて、前記複数のモジュールのうち、前記初期画面に設定された機能に関するモジュールに順次初期化の指示を出す。
【００１４】
上記目的を達成するため、本発明の一形態に係る初期化方法では、初期画面設定部が、自装置の起動時または省エネルギーモードからの復帰時に表示部に表示される、自装置が提供する機能を操作するための初期画面を、操作部経由のユーザーの指示により設定し、設定に関する情報を初期画面情報として記憶部に記憶させ、初期画面確認部が、自装置の起動時または省エネルギーモードからの復帰時に、前記記憶部に記憶された前記初期画面情報を確認し、初期化指示部が、自装置が提供する複数の機能を実現するための複数のモジュールの全てに初期化の指示を出し、前記複数のモジュールの全てが同時並行して初期化されているとき、前記初期画面確認部により確認された前記初期画面情報に基づいて、前記複数のモジュールのうち、前記初期画面に設定された機能に関するモジュール以外のモジュールの初期化を中断してもよい。
【発明の効果】
【００１５】
以上のように、本発明によれば、本発明の目的は、電源投入時または省エネルギーモードからの復帰時に、ユーザー所望の機能をいち早く利用可能に出来る。
【図面の簡単な説明】
【００１６】
【図１】本発明の第１の実施形態に係る画像形成装置２０の構成を概略的に示す構成図である。
【図２】画像形成装置２０においてユーザーにより初期画面が設定される際の処理の流れを説明するためのフローチャートである。
【図３】画像形成装置２０における特定のモジュールの優先的な初期化を行う際の処理の流れについて説明するためのフローチャートである。
【図４】優先的な初期化の具体例を用いて処理の流れを説明するためのフローチャートである。
【図５】本発明の第２の実施形態に係る画像形成装置２０Ｂの構成を概略的に示す構成図である。
【図６】画像形成装置２０Ｂにおける特定のモジュールの優先的な初期化を行う際の処理の流れについて説明するためのフローチャートである。
【発明を実施するための形態】
【００１７】
以下、図面を参照しながら、本発明の実施形態を説明する。
＜第１の実施形態＞
最初に、第１の実施形態について説明する。
【００１８】
［概要と前提条件］
最初に、本発明の第１の実施形態に係る画像形成装置の概要と前提条件について説明する。本発明の第１の実施形態に係る画像形成装置では、電源投入時や省エネルギーモードからの復帰時には、画像形成装置を構成する各モジュールを１つずつ順に初期化しているものとする。
【００１９】
典型的な技術では、全てのモジュールを初期化したした後に、使用可能状態であることを示すレディ画面が表示され、使用可能な状態になる。
【００２０】
例えば、モジュールＡからモジュールＤまである場合、その初期化順序はともかく、４つのモジュールを初期化するまで使用可能にはならなかった。
【００２１】
それに対し、本発明の第１の実施形態に係る画像形成装置では、ユーザーがすぐに必要とする機能に関係するモジュールのみを初期化した時点で画像形成装置が使用可能な状態になるので、より早く画像形成装置を利用することが出来る。
【００２２】
例えば、ユーザーがすぐ使いたい機能が、原稿をスキャンした電子データをＰＣ（Personal Computer）に送信するセンド機能である場合、モジュールＢおよびＣが使われるとする。
【００２３】
その場合、通常のモジュール初期化順序がモジュールＡ、Ｂ、Ｃ、Ｄの順であるとすると、画像形成装置は、モジュールＡの初期化をスキップし、モジュールＢおよびモジュールＣの初期化が完了した時点で、レディ画面を表示して使用可能状態となる。
【００２４】
なお、上記の例の場合、センド機能に関係の無いモジュールＡおよびモジュールＤの初期化は後ほど行われる。
【００２５】
なお、ユーザーがすぐに使いたい機能が何であるかを判断するために、本発明の第１の実施形態に係る画像形成装置では、初期画面を参照している。
【００２６】
例えば、ユーザーが初期画面をセンド機能のための操作画面に設定している場合、ユーザーは、センド機能を使うことが多いからセンド画面を初期画面に設定していると解釈する。
【００２７】
もし、初期画面がコピー機能を操作するための画面に設定されている場合、ユーザーが使いたい機能はコピー機能であると解釈する。
【００２８】
なお、上述した解釈に沿ってモジュールの初期化を行っている最中に、ユーザーが別の機能を使うための操作をした場合、画像形成装置は現在行っている初期化を中断し、新たにユーザーが使うであろうモジュールの初期化を行う。
【００２９】
以上、本発明の第１の実施形態に係る画像形成装置の概要と前提条件について説明した。
【００３０】
［画像形成装置の構成］
次に、本発明の第１の実施形態に係る画像形成装置の構成について説明する。図１は本発明の第１の実施形態に係る画像形成装置２０の構成を概略的に示す構成図である。
【００３１】
画像形成装置２０は、制御部２１を備える。制御部２１は、ＣＰＵ（Central Processing Unit）、ＲＡＭ（Random Access Memory）、ＲＯＭ（Read Only Memory）、および専用のハードウェア回路等から構成され、画像形成装置２０の全体的な動作制御を司る。
【００３２】
制御部２１は、原稿読取部２２、画像処理部２３、画像メモリー２４、画像形成部２５、操作部２６、表示部２６ａ、ファクシミリ通信部２７、通信部２８、記憶部２９等と接続されている。制御部２１は、接続されている上記各部の動作制御や、各部との間での信号又はデータの送受信を行う。
【００３３】
制御部２１は、ユーザーから、操作部２６またはネッワーク接続されたＰＣ等を通じて入力されるジョブの実行指示に従って、スキャナ機能、印刷機能、コピー機能、センド機能、およびファクシミリ送受信機能などの各機能についての動作制御を実行するために必要な機構の駆動及び処理を制御する。
【００３４】
また、制御部２１は、初期画面設定部２１ａ、初期画面確認部２１ｂ、初期化指示部２１ｃ、操作検知部２１ｄ、および初期化中断指示部２１ｅを有している。初期画面設定部２１ａ、初期画面確認部２１ｂ、初期化指示部２１ｃ、操作検知部２１ｄ、および初期化中断指示部２１ｅは、ＲＯＭなどからＲＡＭにロードされたプログラムがＣＰＵにより実行されることで実現される機能ブロックである。
【００３５】
初期画面設定部２１ａは、ユーザーからの指示に基づき、画像形成装置２０が起動され使用可能な状態になった際に、操作画面に表示させる初期画面を設定する。初期画面の設定に関する情報は、初期画面情報２９ａとして記憶部２９に記憶される。
【００３６】
初期画面確認部２１ｂは、画像形成装置２０の起動時に、記憶部２９に記憶されている初期画面情報２９ａを確認し、ユーザーがどの機能を初期画面に設定しているかを把握する。
【００３７】
初期化指示部２１ｃは、ユーザーが初期画面に設定した機能に関連するモジュールに対し、初期化を指示し、関連するモジュールの初期化が完了するとレディ画面を表示部２６ａに表示させる。その後、初期化指示部２１ｃは、残りのモジュールの初期化を指示する。
【００３８】
操作検知部２１ｄは、初期画面に設定された機能に関連するモジュールが初期化されている最中に、初期画面に設定された機能と異なる機能を呼び出す操作がユーザーによりなされたか否かを検知する。
【００３９】
初期化中断指示部２１ｅは、操作検知部２１ｄにより、初期画面に設定された機能と異なる機能を呼び出す操作が検知されたとき、優先的に初期化する必要が無くなったモジュールの初期化を中断する。
【００４０】
原稿読取部２２は、原稿から画像を読み取る。以下、スキャナとも呼ぶ。
【００４１】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００４２】
画像メモリー２４は、原稿読取部２２による読み取りで得られた原稿画像のデータを一時的に記憶したり、画像形成部２５での印刷対象となるデータを一時的に記憶したりする領域である。
【００４３】
画像形成部２５は、原稿読取部２２で読み取られた画像データ等の画像形成を行う。プリントエンジンを備えている。
【００４４】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００４５】
ファクシミリ通信部２７は、図示しない符号化／復号化部、変復調部、およびＮＣＵ（Network Control Unit）を備え、公衆電話回線網を用いてのファクシミリの送信を行う。
【００４６】
通信部２８は、ＬＡＮボード等の通信モジュールから構成され、通信部２８に接続されたＬＡＮ等を介して、ローカルエリア内の装置と種々のデータの送受信を行う。
【００４７】
記憶部２９は、原稿読取部２２によって読み取られた原稿画像などを記憶する。記憶部２９は、ＨＤＤなどの大容量の記憶装置である。記憶部２９には、どの機能を操作する画面が初期画面として設定されたかを示す初期画面情報２９ａが記憶されている。
【００４８】
以上、画像形成装置２０の構成について説明した。
【００４９】
［処理の流れ（初期画面の設定）］
次に、画像形成装置２０においてユーザーにより初期画面が設定される際の処理の流れを説明する。図２は、画像形成装置２０においてユーザーにより初期画面が設定される際の処理の流れを説明するためのフローチャートである。
【００５０】
まず、ユーザーが、画像形成装置２０の起動後すぐに使いたい機能を操作する画面を初期画面として設定する（ステップＳ３０）。
【００５１】
次に、初期画面設定部２１ａが、ユーザーによりどの機能を操作する画面が初期画面に設定されたかを、初期画面情報２９ａとして記憶部２９に記憶させる（ステップＳ３１）。
【００５２】
以上、画像形成装置２０においてユーザーにより初期画面が設定される際の処理の流れを説明した。
【００５３】
［処理の流れ（優先的な初期化）］
次に、画像形成装置２０における特定のモジュールの優先的な初期化を行う際の処理の流れについて説明する。図３は、画像形成装置２０における特定のモジュールの優先的な初期化を行う際の処理の流れについて説明するためのフローチャートである。
【００５４】
まず、画像形成装置２０の起動時または省エネルギーモードからの復帰時に、初期画面確認部２１ｂが、記憶部２９に記憶されている初期画面情報２９ａを確認する（ステップＳ１）。
【００５５】
次に、初期化指示部２１ｃが、初期画面に設定されている機能に関連するモジュールは、起動順序を変更できるモジュールであるか否かを確認する（ステップＳ２）。
【００５６】
起動順序を変更できる場合（ステップＳ２のＹ）、初期化指示部２１ｃは、初期画面に設定されている機能に関連するモジュールの初期化処理を順次行うように、各モジュールに指示を出す（ステップＳ３）。
【００５７】
次に、操作検知部２１ｄが、初期画面に設定された機能に関連するモジュールが初期化されている最中に、初期画面に設定された機能と異なる機能を呼び出す操作がユーザーによりなされたか否かを検知する（ステップＳ４）。
【００５８】
初期画面に設定された機能と異なる機能を呼び出す操作がユーザーによりなされた場合（ステップＳ４のＹ）には、初期化中断指示部２１ｅが、新たにユーザーに呼び出された機能に関係の無いモジュールの初期化を中断する。また、初期化指示部２１ｃが、新たにユーザーに呼び出された機能に関係するモジュールの初期化を指示する（ステップＳ５）。
【００５９】
次に、初期化指示部２１ｃが、表示部２６ａに、画像形成装置２０が使用可能な状態になったことを示すレディ画面を表示する（ステップＳ６）。
【００６０】
次に、初期化指示部２１ｃは、まだ初期化していないモジュールの初期化を行う（ステップＳ７）。
【００６１】
ステップＳ２において、初期画面に設定されている機能に関連するモジュールは、起動順序を変更できるモジュールではない場合（ステップＳ２のＮ）、初期化指示部２１ｃは全てのモジュールに対して初期化を指示する（ステップＳ８）。
【００６２】
全てのモジュールの初期化が完了すると、初期化指示部２１ｃは、表示部２６ａにレディ画面を表示する（ステップＳ９）。
【００６３】
以上、画像形成装置２０における特定のモジュールの優先的な初期化を行う際の処理の流れについて説明した。
【００６４】
［処理の流れ（具体例）］
次に、上述した優先的な初期化の具体例を用いて処理の流れを説明する。図４は、優先的な初期化の具体例を用いて処理の流れを説明するためのフローチャートである。
【００６５】
なお、ここで説明する具体例では、初期画面としてコピー機能を操作するための画面が設定されているものとする。
【００６６】
また、コピー機能を利用するために初期化すべきモジュールはスキャナとプリントエンジンであるとする。
【００６７】
また、センド機能を利用するために初期化すべきモジュールはスキャナであるとする。
【００６８】
まず、画像形成装置２０の起動時または省エネルギーモードからの復帰時に、初期画面確認部２１ｂが、記憶部２９に記憶されている初期画面情報２９ａを確認し、コピー機能が設定されていることを把握する（ステップＳ１１）。
【００６９】
次に、初期化指示部２１ｃは、初期画面に設定されているコピー機能に関連するモジュールは、起動順序を変更できるモジュールであるか否かを確認する（ステップＳ１２）。
【００７０】
次に、初期化指示部２１ｃは、スキャナに対して初期化の開始を指示する（ステップＳ１３）。
【００７１】
次に、初期化指示部２１ｃは、プリントエンジンに対して初期化の開始を指示する（ステップＳ１４）。
【００７２】
次に、操作検知部２１ｄが、初期画面に設定されたコピー機能に関連するモジュールが初期化されている最中に、初期画面に設定されたコピー機能と異なるセンド機能を呼び出す操作がユーザーによりなされたか否かを検知する（ステップＳ１５）。
【００７３】
初期画面に設定されたコピー機能と異なるセンド機能を呼び出す操作がユーザーによりなされた場合（ステップＳ１５のＹ）には、初期化中断指示部２１ｅが、新たにユーザーに呼び出された機能に関係の無いモジュール（プリントエンジン）の初期化を中断する（ステップＳ１６）。
【００７４】
次に、初期化指示部２１ｃが、表示部２６ａに、画像形成装置２０が使用可能な状態になったことを示すレディ画面を表示する（ステップＳ１７）。
【００７５】
次に、初期化指示部２１ｃは、まだ初期化していないモジュール（プリントエンジン、その他）の初期化を行う（ステップＳ１８）。
【００７６】
ステップＳ１２において、初期画面に設定されている機能がコピー機能以外である場合（ステップＳ１２のＮ）、初期化指示部２１ｃは全てのモジュールに対して初期化を指示する（ステップＳ１９）。
【００７７】
全てのモジュールの初期化が完了すると、初期化指示部２１ｃは、表示部２６ａにレディ画面を表示する（ステップＳ２０）。
【００７８】
以上、優先的な初期化の具体例を用いて処理の流れを説明した。
【００７９】
以上、第１の実施形態について説明した。
【００８０】
＜第２の実施形態＞
次に、第２の実施形態について説明する。
【００８１】
［概要と前提条件］
第２の実施形態が第１の実施形態と異なる点は、画像形成装置の起動時に、画像形成装置を構成する各モジュールを１つずつ順番に初期化する代わりに、全てのモジュールを同時並行で初期化できる点である。
【００８２】
同時並行して初期化する場合でも、制御部のＣＰＵなどは共通して使用されるので、同時に初期化するモジュールの数が少ないほど初期化の完了までにかかる時間を短縮することが出来る。
【００８３】
そのため、第２の実施形態に係る画像形成装置２０Ｂでは、画像形成装置２０Ｂの起動時に全てのモジュールの初期化は開始するものの、初期画面に設定された機能に関係しないモジュールの初期化を中断し、関係するモジュールの初期化が完了した時点でレディ画面を表示する。初期化を中断したモジュールは、レディ画面を表示させた後で、初期化を再開する。
【００８４】
以上、本発明の第２の実施形態に係る画像形成装置２０Ｂの概要と前提条件について説明した。
【００８５】
［画像形成装置の構成］
次に、本発明の第２の実施形態に係る画像形成装置２０Ｂの構成について説明する。図５は本発明の第２の実施形態に係る画像形成装置２０Ｂの構成を概略的に示す構成図である。
【００８６】
画像形成装置２０Ｂは、制御部２１Ｂを備える。制御部２１Ｂは、ＣＰＵ、ＲＡＭ、ＲＯＭ、および専用のハードウェア回路等から構成され、画像形成装置２０Ｂの全体的な動作制御を司る。
【００８７】
制御部２１Ｂは、原稿読取部２２、画像処理部２３、画像メモリー２４、画像形成部２５、操作部２６、表示部２６ａ、ファクシミリ通信部２７、通信部２８、記憶部２９等と接続されている。制御部２１Ｂは、接続されている上記各部の動作制御や、各部との間での信号又はデータの送受信を行う。
【００８８】
制御部２１Ｂは、ユーザーから、操作部２６またはネッワーク接続されたＰＣ等を通じて入力されるジョブの実行指示に従って、スキャナ機能、印刷機能、コピー機能、センド機能、およびファクシミリ送受信機能などの各機能についての動作制御を実行するために必要な機構の駆動及び処理を制御する。
【００８９】
また、制御部２１Ｂは、初期画面設定部２１ａ、初期画面確認部２１ｂ、初期化指示部２１ｃ'、操作検知部２１ｄ、および初期化中断指示部２１ｅを有している。初期画面設定部２１ａ、初期画面確認部２１ｂ、初期化指示部２１ｃ'、操作検知部２１ｄ、および初期化中断指示部２１ｅは、ＲＯＭなどからＲＡＭにロードされたプログラムがＣＰＵにより実行されることで実現される機能ブロックである。
【００９０】
初期画面設定部２１ａ、初期画面確認部２１ｂ、操作検知部２１ｄ、および初期化中断指示部２１ｅの機能は、第１の実施形態と同じなので説明は省略する。
【００９１】
初期化指示部２１ｃ'は、まず、全てのモジュールに対し、初期化を指示する。その後、ユーザーが初期画面に設定した機能に関連するモジュール以外に対し、初期化の中断を指示する。関連するモジュールの初期化が完了するとレディ画面を表示部２６ａに表示させる。その後、初期化指示部２１ｃは、残りのモジュールの初期化を指示する。
【００９２】
原稿読取部２２、画像処理部２３、画像メモリー２４、画像形成部２５、操作部２６、表示部２６ａ、ファクシミリ通信部２７、通信部２８、および記憶部２９の機能は、第１の実施形態と同じなので、説明を省略する。
【００９３】
以上、画像形成装置２０Ｂの構成について説明した。
【００９４】
［処理の流れ（初期画面の設定）］
初期画面の設定に関する処理の流れは第１の実施形態と同じなので、説明は省略する。
【００９５】
［処理の流れ（優先的な初期化）］
次に、画像形成装置２０Ｂにおける特定のモジュールの優先的な初期化を行う際の処理の流れについて説明する。図６は、画像形成装置２０Ｂにおける特定のモジュールの優先的な初期化を行う際の処理の流れについて説明するためのフローチャートである。
【００９６】
まず、画像形成装置２０Ｂの起動時または省エネルギーモードからの復帰時に、初期画面確認部２１ｂが、記憶部２９に記憶されている初期画面情報２９ａを確認する（ステップＳ４０）。
【００９７】
次に、初期化指示部２１ｃ'が、全てのモジュールに対し初期化処理の開始を指示する（ステップＳ４１）。
【００９８】
次に、初期化指示部２１ｃ'が、初期画面に設定されている機能に関連するモジュール以外のモジュールの初期化を中断する（ステップＳ４２）。
【００９９】
次に、操作検知部２１ｄが、初期画面に設定された機能に関連するモジュールが初期化されている最中に、初期画面に設定された機能と異なる機能を呼び出す操作がユーザーによりなされたか否かを検知する（ステップＳ４３）。
【０１００】
初期画面に設定された機能と異なる機能を呼び出す操作がユーザーによりなされた場合（ステップＳ４３のＹ）には、初期化中断指示部２１ｅが、新たにユーザーに呼び出された機能に関係の無いモジュールの初期化を中断する。また、初期化指示部２１ｃ'が、新たにユーザーに呼び出された機能に関係するモジュールの初期化が中断されている場合、初期化の再開を指示する（ステップＳ４４）。
【０１０１】
次に、初期化指示部２１ｃ'が、表示部２６ａに、画像形成装置２０Ｂが使用可能な状態になったことを示すレディ画面を表示する（ステップＳ４５）。
【０１０２】
次に、初期化指示部２１ｃ'は、初期化を中断しているモジュールの初期化を再開する（ステップＳ４６）。
【０１０３】
以上、画像形成装置２０Ｂにおける特定のモジュールの優先的な初期化を行う際の処理の流れについて説明した。
【０１０４】
以上、第２の実施形態について説明した。
【０１０５】
［補足事項］
なお、上記の説明では、初期画面に設定された機能が、ユーザーが使いたい機能であるという前提で説明したが、この構成に限らず、例えば、ユーザー認証とログの収集を組み合わせて、どのユーザーではどの機能を使うことが多いかを統計的に集計し、集計結果に基づいて、ユーザーが使いたい機能を推定し、初期化するモジュールを決定してもよい。
【０１０６】
以上のように、本発明によれば、画像形成装置２０は、操作部２６と、表示部２６ａと、記憶部２９と、自装置が提供する複数の機能を実現するための複数のモジュールと、自装置２０の起動時または省エネルギーモードからの復帰時に前記表示部２６ａに表示される、前記機能を操作するための初期画面を、前記操作部２６経由のユーザーの指示により設定し、設定に関する情報を初期画面情報２９ａとして前記記憶部２９に記憶させる初期画面設定部２１ａと、自装置２０の起動時または省エネルギーモードからの復帰時に、前記記憶部２９に記憶された前記初期画面情報２９ａを確認する初期画面確認部２１ｂと、前記初期画面確認部２１ｂにより確認された前記初期画面情報２９ａに基づいて、前記複数のモジュールのうち、前記初期画面に設定された機能に関するモジュールに順次初期化の指示を出す初期化指示部２１ｃとを備える。
【０１０７】
そのため、電源投入時または省エネルギーモードからの復帰時に、ユーザー所望の機能をいち早く利用可能に出来る。
【０１０８】
その他、本発明は、上述の実施形態にのみ限定されるものではなく、本発明の要旨を逸脱しない範囲内において種々変更を加え得ることは勿論である。
【符号の説明】
【０１０９】
２０  …  画像形成装置
２１  …  制御部
２１ａ…  初期画面設定部
２１ｂ…  初期画面確認部
２１ｃ…  初期化指示部
２１ｃ'…  初期化指示部
２１ｄ…  操作検知部
２１ｅ…  初期化中断指示部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
２９ａ…  初期画面情報
【図１】
0006634970.tif 000002
【図２】
0006634970.tif 000003
【図３】
0006634970.tif 000004
【図４】
0006634970.tif 000005
【図５】
0006634970.tif 000006
【図６】
0006634970.tif 000007